(57)【要約】【課題】  どのようなウェブページであっても簡単かつ迅速に、いずれのユーザ端末からでもウェブページを更新可能なウェブページ更新のためのＡＳＰシステムを提供する。【解決手段】  ＡＳＰサーバ３は、リンク表示検索手段として機能し、ユーザ端末１，１０から入力された更新対象リンク表示をＡＳＰサーバ３に登録された更新対象リンク表示から検索する。続いて、ＡＳＰサーバ３は、更新内容ページ作成手段として機能し、ユーザ端末１，１０から入力された更新内容に基づいた更新内容ページを更新内容ごとに作成する。【選択図】          図１
2005174236.tif 000002
【特許請求の範囲】
【請求項１】
ユーザ端末からネットワークを通じてＡＳＰサーバにアクセスし、当該ＡＳＰサーバに記憶された更新プログラムを用いてユーザの使用するウェブサーバにメインページを有する前記ユーザのウェブページの内容を更新するためのＡＳＰシステムであって、
前記ＡＳＰサーバは、更新する対象たる更新対象リンク表示および当該更新対象リンク表示のリンク先として設けられた更新情報ページを予め記憶するとともに、前記ユーザ端末から入力された更新すべき更新対象リンク表示および更新内容を含む入力情報を記憶し、
前記更新プログラムは、前記記憶された入力情報に基づいて、前記ＡＳＰサーバを
入力された前記更新対象リンク表示を前記ＡＳＰサーバに予め登録された更新対象リンク表示から検索するリンク表示検索手段、
入力された前記更新内容に基づいて、当該更新内容ごとに更新内容ページを作成する更新内容ページ作成手段、および
前記リンク表示検索手段において検索された前記更新対象リンク表示のリンク先に予め設けられた前記更新情報ページに前記更新内容ページをリンク先とする更新履歴リンク表示を前記更新内容ページごとに追加設定する更新情報ページ更新手段として機能させることを特徴とするＡＳＰシステム。
【請求項２】
前記入力情報には前記更新内容ページの公開期間情報を含み、前記ＡＳＰサーバには、前記公開期間情報が記憶され、当該公開期間情報に基づいて、前記更新内容ページの公開期間を設定可能であることを特徴とする請求項１記載のＡＳＰシステム。
【請求項３】
前記ウェブページには、所定位置に更新履歴枠が設けられており、
前記更新プログラムは、前記ＡＳＰサーバを
前記更新履歴枠に前記更新内容ページの表題を掲載する更新履歴追加手段として機能させることを特徴とする請求項１または２記載のＡＳＰシステム。
【請求項４】
前記入力情報には同時に複数の更新を行う場合の優先順位を含み、前記更新プログラムは、前記ＡＳＰサーバを前記優先順位の高い更新内容を前記ウェブページに優先的に表示する優先表示手段として機能させることを特徴とする請求項１〜３のいずれかに記載のＡＳＰシステム。
【請求項５】
前記ＡＳＰサーバには、カレンダー作成のための補助的プログラムが記憶され、
前記更新プログラムは、ＡＳＰサーバ３を、当該カレンダー作成プログラムを用いて作成されたカレンダーが入力情報に含まれる場合、内容更新ページに前記カレンダーを表示するまたは当該カレンダー表示ページをリンク先とするリンク表示を形成するカレンダー添付手段として機能させることを特徴とする請求項１〜４のいずれかに記載のＡＳＰシステム。
【請求項６】
前記ユーザ端末は、無線通信可能な携帯情報端末であることを特徴とする請求項１〜５のいずれかに記載のＡＳＰシステム。
【発明の詳細な説明】
【技術分野】
【０００１】
本発明は、いずれのユーザ端末からでもウェブページを更新可能なＡＳＰシステムに関する。
【背景技術】
【０００２】
ウェブページ（ホームページ）の作成支援のためのソフトウェア（プログラム）やシステムが公知である（例えば、特許文献１，２）。また、プロバイダが管理する所定のサーバ上にウェブページをオンラインで簡易作成するシステムも公知である。これらを用いることにより、ワープロ感覚で手軽に独自のウェブページを作成することができる。
【特許文献１】特開２００３−１４１１０３号公報
【特許文献２】特開２００３−７６５４４号公報
【発明の開示】
【発明が解決しようとする課題】
【０００３】
しかし、このような従来のウェブページ作成支援ソフトウェアおよびシステムにおいては、以下のような問題があった。一度作成したウェブページを更新する際にあっては、上記のような作成支援ソフトウェアを立ち上げて更新部分を作成し、ウェブページが管理・記憶されているウェブサーバ（プロバイダ）に接続した上で、ＦＴＰ等により更新情報をアップロードする必要がある。したがって、ユーザがウェブページ作成支援ソフトウェアで自ら作成したウェブページであっても複数のパソコンを使用する場合には、それぞれの端末にウェブページ作成支援ソフトウェアおよびアップロード用ソフトウェアをインストールする必要がある。また、インターネットカフェ等の公共の端末では勝手にこれらソフトウェアをインストールすることができないので、緊急にウェブページを更新したい場合であっても特定の端末からしか更新できないという問題があった。
【０００４】
また、ユーザが業者等に依頼したウェブページを更新する場合、いちいち更新依頼を当該業者等に行い、当該業者等の更新作業を待たなければならず、時間がかかるという問題があった。さらに、オンラインで簡易作成されたウェブページにあっては、ウェブページのレイアウトや表示方法自体に制約が大きく、ユーザを満足させるウェブページが必ずしも実現できないという問題もあった。
【０００５】
本発明は、かかる従来技術の問題点を解決するべくなされたもので、どのようなウェブページであっても簡単かつ迅速に、いずれのユーザ端末からでもウェブページを更新可能なウェブページ更新のためのＡＳＰシステムを提供することを目的とする。
【課題を解決するための手段】
【０００６】
本発明に係るウェブページ更新のためのＡＳＰシステムは、ユーザ端末からネットワークを通じてＡＳＰサーバにアクセスし、当該ＡＳＰサーバに記憶された更新プログラムを用いてユーザの使用するウェブサーバにメインページを有する前記ユーザのウェブページの内容を更新するためのＡＳＰシステムであって、前記ＡＳＰサーバは、更新する対象たる更新対象リンク表示および当該更新対象リンク表示のリンク先として設けられた更新情報ページを予め記憶するとともに、前記ユーザ端末から入力された更新すべき更新対象リンク表示および更新内容を含む入力情報を記憶し、前記更新プログラムは、前記記憶された入力情報に基づいて、前記ＡＳＰサーバを、入力された前記更新対象リンク表示を前記ＡＳＰサーバに予め登録された更新対象リンク表示から検索するリンク表示検索手段、入力された前記更新内容に基づいて、当該更新内容ごとに更新内容ページを作成する更新内容ページ作成手段、および前記リンク表示検索手段において検索された前記更新対象リンク表示のリンク先に予め設けられた前記更新情報ページに前記更新内容ページをリンク先とする更新履歴リンク表示を前記更新内容ページごとに追加設定する更新情報ページ更新手段として機能させるものである。
【０００７】
上記構成のＡＳＰシステムによれば、ユーザは、いずれかのユーザ端末からＡＳＰ（アプリケーションサービスプロバイダ）サーバにアクセスすることにより、ＡＳＰサーバ内に記憶された更新プログラムを使用して、ウェブサーバにメインページを有するウェブページの内容を更新することができる。まず、予め更新すべき更新対象リンク表示を登録し、ＡＳＰサーバに記憶させる。このとき、更新対象リンク表示のリンク先（リンク対象）として、更新の内容ごとにリンク表示が列記されるウェブページ（更新情報ページ）が作成される。
【０００８】
そして、ＡＳＰサーバは、リンク表示検索手段として機能し、ユーザ端末から入力された更新対象リンク表示を上記で登録された更新対象リンク表示から検索する。続いて、ＡＳＰサーバは、更新内容ページ作成手段として機能し、ユーザ端末から入力された更新内容に基づいた更新内容ページを更新内容ごとに作成する。
【０００９】
さらに、更新情報ページ更新手段として機能することにより、前記リンク表示検索手段において検索された更新対象リンク表示のリンク先に設けられた更新情報ページに前記更新内容ページ作成手段で作成された更新内容ページをリンク先とするリンク表示が追加形成される（更新情報ページに更新内容ページがリンクされる）。
【００１０】
ここで、上記作成および更新された更新情報ページおよび更新内容ページは、ＡＳＰサーバにデータベースとして記憶されるため、ＡＳＰサーバからユーザのウェブページのメインページが記憶されるウェブサーバにアップロードする必要はなく、即座に公開される。
【００１１】
以上のように、ウェブページ更新のためのＡＳＰサーバを介することにより、ウェブページ作成支援および更新接続に関するソフトウェアを更新の際に使用するユーザ端末にインストールすることなくウェブページの更新作業を行うことができる。しかも、更新箇所を更新対象リンク表示にリンクした別ページとしているため、どのようなウェブページであっても既存のウェブページの形式を大きく変更することなく自由度の高い更新を行うことができる。さらに、ユーザは、更新対象リンク表示を予め登録しておきさえすれば、更新内容を入力するだけで、リンクを形成する等の煩雑な作業を行うことなく簡単かつ迅速にウェブページの更新を行うことができる。
【００１２】
好ましくは、前記入力情報には前記更新内容ページの公開期間情報を含み、前記ＡＳＰサーバには、前記公開期間情報が記憶され、当該公開期間情報に基づいて、前記更新内容ページの公開期間を設定可能であるように構成される。
【００１３】
この場合、ユーザ端末からの入力情報として更新内容ページの公開期間情報（公開開始時および／または公開終了時の情報）が入力される。このとき、ＡＳＰサーバは、この公開期間情報を記憶し、当該記憶された公開期間に合わせてウェブページに公開開始のための更新および公開終了のための更新を行う。
【００１４】
したがって、不要となる更新内容も予め公開期間を設定しておくことにより、ユーザの手を煩わすことなく自動的に削除されるため、ＡＳＰサーバに記憶されたウェブページの記憶容量を無駄に増やすことを防止することができるとともに、すっきりとした分かり易いウェブページとすることができる。
【００１５】
好ましくは、前記ウェブページには、所定位置に更新履歴枠が設けられており、前記更新更新プログラムは、前記ＡＳＰサーバを、前記更新履歴枠に前記更新内容ページの表題を掲載する更新履歴追加手段として機能させるように構成される。
【００１６】
この場合、ウェブページの所定位置に更新履歴枠が作成されている。そしてユーザ端末からの入力情報に基づいて、新たに更新内容ページが作成されると、ＡＳＰサーバが更新履歴追加手段として機能することにより、更新履歴枠に更新内容ページの表題が自動的に掲載されることとなる。
【００１７】
したがって、更新時において更新履歴を追加する処理を別に行う必要がないため、更新履歴をより確実にウェブページの来訪者に伝えることができるとともに、このようなウェブページを当該ウェブページの管理者であるユーザの手を煩わせることなく作成することができる。
【００１８】
好ましくは、前記入力情報には同時に複数の更新を行う場合の優先順位を含み、前記更新プログラムは、前記ＡＳＰサーバを前記優先順位の高い更新内容を前記ウェブページに優先的に表示する優先表示手段として機能させるように構成される。
【００１９】
この場合、ユーザ端末から同時（同時期）に更新した際の優先順位が入力情報として入力されたときに、ＡＳＰサーバは優先表示手段として機能することによって、より優先順位の高い更新内容をウェブページに優先的に表示すべく更新する。
【００２０】
したがって、よりユーザの意図に沿ったウェブページの更新を行うことができる。
【００２１】
好ましくは、前記ＡＳＰサーバには、カレンダー作成のための補助的プログラムが記憶され、前記更新プログラムは、ＡＳＰサーバ３を、当該カレンダー作成プログラムを用いて作成されたカレンダーが入力情報に含まれる場合、内容更新ページに前記カレンダーを表示するまたは当該カレンダー表示ページをリンク先とするリンク表示を形成するカレンダー添付手段として機能させるように構成される。
【００２２】
この場合、ＡＳＰサーバには、更新プログラムとは別に、カレンダー作成のための補助的プログラムが記憶され、カレンダー作成プログラムで作成されたカレンダーもＡＳＰサーバに記憶される。そして、ユーザがカレンダー作成プログラムで作成したカレンダーを入力情報として入力（ファイルを指定）した場合、ＡＳＰサーバ３は更新プログラムにより、カレンダー添付手段として機能し、内容更新ページに当該カレンダーを表示するか、カレンダー表示ページを作成するとともに、内容更新ページに当該カレンダー表示ページをリンク先とするリンク表示を形成する（内容更新ページからカレンダー表示ページへリンクする）。
【００２３】
したがって、一瞥して把握し易いカレンダー表示も極めて簡単に導入することができ、より分かり易いウェブページとして簡単かつ迅速に更新することができる。
【００２４】
好ましくは、前記ユーザ端末は、無線通信可能な携帯情報端末であるように構成される。
【００２５】
この場合、携帯情報端末から無線通信を介してＡＳＰサーバへとアクセスし、入力情報を入力する。本発明のＡＰＳシステムによれば、携帯情報端末に容量の大きいウェブページ作成ソフトをインストールする必要がなく、入力情報として、更新対象リンク表示等、ごく部分的なデータのみ送信することにより、ウェブページの更新指示をＡＳＰサーバに対して行うことができる。
【００２６】
したがって、ユーザが携帯情報端末を所持している限りどこからでも簡単かつ迅速にウェブページの更新を行うことができる。
【発明の効果】
【００２７】
本発明に係るＡＳＰシステムによれば、ウェブページ更新のためのＡＳＰサーバを介することにより、ウェブページ作成支援および更新接続に関するソフトウェアを更新の際に使用するユーザ端末にインストールすることなくウェブページの更新作業を行うことができる。しかも、更新箇所を更新対象リンク表示にリンクした別ページとしているため、どのようなウェブページであっても既存のウェブページの形式を大きく変更することなく自由度の高い更新を行うことができる。さらに、ユーザは、更新対象リンク表示を予め登録しておきさえすれば、更新内容を入力するだけで、リンクを形成する等の煩雑な作業を行うことなく簡単かつ迅速にウェブページの更新を行うことができる。
【発明を実施するための最良の形態】
【００２８】
以下、添付図面を参照しつつ、本発明を実施するための最良の形態について説明する。図１は本発明の一実施形態に係るＡＳＰシステムの概念図である。なお、本実施形態においては、ユーザの営業する商店のウェブページについて、営業予定情報を更新したい場合を例にとって説明するが、商店のウェブページにおける新製品情報の更新、幼稚園のウェブページにおける行事予定の更新、および、釣舟チャーター業に関するウェブページにおける釣り場速報の更新等、様々な業種、個人のウェブページにおける様々な更新対象について更新を行う際に適用することができ、それぞれに本発明の効果を奏するものである。
【００２９】
本発明に係るウェブページ更新のためのＡＳＰシステムは、図１に示すように、ユーザ端末１，１０からネットワーク１００を通じてＡＳＰサーバ３にアクセスし、当該ＡＳＰサーバ３に記憶された更新プログラムを用いてユーザの使用するウェブサーバ２にメインページ２０（後述）を有する前記ユーザのウェブページの内容を更新するためのＡＳＰシステムである。そして、前記ＡＳＰサーバ３は、更新する対象たる更新対象リンク表示２３３（後述）および当該更新対象リンク表示２３３のリンク先として設けられた更新情報ページ２１（後述）を予め記憶するとともに、前記ユーザ端末１，１０から入力された更新すべき更新対象リンク表示２３３および更新内容を含む入力情報を記憶し、前記更新プログラムは、前記記憶された入力情報に基づいて、前記ＡＳＰサーバ３を、入力された前記更新対象リンク表示２３３を前記ＡＳＰサーバ３に予め登録された更新対象リンク表示２３３から検索するリンク表示検索手段、入力された前記更新内容に基づいて、当該更新内容ごとに更新内容ページ２２（後述）を作成する更新内容ページ作成手段、および前記リンク表示検索手段において検索された前記更新対象リンク表示２３３のリンク先に予め設けられた前記更新情報ページ２１に前記更新内容ページ２２をリンク先とする更新履歴リンク表示２３４（後述）を前記更新内容ページごとに追加設定する更新情報ページ更新手段として機能させるものである。
【００３０】
図２は図１のＡＳＰシステムにおける動作フローを示す図である。また、図３は図１のＡＳＰシステムが適用されたウェブページのメインページを示す図である。上記構成のＡＳＰシステムによれば、ユーザは、パーソナルコンピュータ１や携帯情報端末である携帯電話１０等のいずれかのユーザ端末１，１０からＡＳＰ（アプリケーションサービスプロバイダ）サーバ３にアクセスすることにより、ＡＳＰサーバ３内に記憶された更新プログラムを使用して、プロバイダ等のウェブサーバ２に、図３に示すような、メインページ２０を有するウェブページの内容を更新することができる。ＡＳＰサーバ３は、更新プログラムおよび入力情報を記憶するハードディスク等の記憶装置、当該記憶装置に記憶された更新プログラムに基づいて各種演算・処理を行うＣＰＵ、メモリ、インターネット等のネットワーク１００と接続可能なインターフェイス（何れも図示せず）等から構成される。すなわち、ウェブサーバ２等に用いられる一般的なサーバコンピュータを適用可能である。
【００３１】
まず、予め更新すべき更新対象リンク表示２３３を登録し、ＡＳＰサーバ３に記憶させる。本実施形態においては、図３に示すように、ウェブページのメインページ２０において複数あるリンク表示の中で「お知らせ」に関するリンク表示が更新対象リンク表示２３３としてＡＳＰサーバ３に登録されている。このように、メインページ２０にある更新対象リンク表示２３３を登録することによって、ウェブページを訪れた第三者により明確に更新情報を伝えることができる。なお、リンク表示は、画像でもテキストでもよい。このとき、更新対象リンク表示２３３のリンク先（リンク対象）として、更新の内容ごとにリンク表示が列記されるウェブページ（更新情報ページ２１）が作成される。
図４は図１のＡＳＰシステムが適用されたウェブページの更新情報ページを示す図である。なお、登録当初は、更新情報ページ２１には、図４に示すような更新履歴リンク表示２３４ａ，２３４ｂ，２３４ｃ，…は形成されていない。また、更新対象リンク表示２３３は、複数登録が可能である。なお、登録の方法は、ＡＳＰサーバ３に記憶された更新プログラムによって、ユーザ端末１，１０から行うこととしてもよいし、ＡＳＰサーバ３の管理者に登録を申請するとともに、ユーザ自らウェブサーバ２に記憶されたユーザ自身のウェブページの内容をそれに合わせて変更しておく（図３に示すように、該当更新対象リンク表示２３３を設け、そのリンク先に更新情報ページ２１（少なくとも白紙のページがあればよい）を作成する）こととしてもよいし、登録申請を受けたＡＳＰサーバ３の管理者がウェブサーバ２に記憶されたユーザのウェブページの内容を変更しておくこととしてもよい。
【００３２】
上記のように更新対象リンク表示２３３がＡＳＰサーバ３に登録されている状態で、ユーザがウェブページを更新する際、まず、ユーザは、ユーザ端末１，１０からＡＳＰサーバ３にアクセスし、ＡＳＰサーバ３に記憶されたウェブページ更新更新プログラムを起動させる（ステップＳ１）。この際、ＡＳＰサーバ３では、ユーザ認証を行い、ユーザが対象ウェブページの正当な管理者（対象ウェブページを更新する権限を有する者）であるかどうかを検証する（ステップＳ２）。
【００３３】
この後、ユーザ端末１，１０に入力情報を入力するためのテンプレートを用いた入力画面が表示される。図５は図１のＡＳＰシステムに係る入力情報の入力画面を示す図である。ユーザは、図５に示すような入力画面におけるテンプレート３０に従って、各種入力情報を入力する（ステップＳ３）。
【００３４】
図５においては、後述する公開期間情報としての公開希望日入力欄３１、後述する更新履歴の自動追加のための自動更新履歴対象可否チェックボックス３２、更新対象リンク表示入力欄３３、更新内容のタイトルを入力するお知らせタイトル入力欄３４、更新内容のテキストを入力する更新内容本文入力欄３５、添付画像を指定する画像情報入力欄３６、後述するカレンダー表示等の添付ファイルを指定する添付ファイル情報入力欄３７、更新内容ページ２２から別のウェブページにリンクさせるためのリンク対象入力欄３８、更新内容ページ２２にテンプレート（予め記憶されている背景図柄やテキストの配置フォーマット）を使用するかどうかのテンプレート指定欄３９、および、上記入力情報の重要度を指定する重要度チェックボックス４０を有している。
【００３５】
更新対象リンク表示入力欄３３に、ＡＳＰサーバ３にすでに登録された更新対象リンク表示２３３を入力する。参照ボタン３３ｂをクリック等して、ＡＳＰサーバ３に記憶された更新対象リンク表示２３３を参照することも可能である。
【００３６】
上記入力情報が入力される（図５の更新ボタン４１をクリック等する）と、ＡＳＰサーバ３は、リンク表示検索手段として機能し、ユーザ端末１，１０から入力された更新対象リンク表示２３３を上記でＡＳＰサーバ３に登録・記憶された更新対象リンク表示２３３から検索する（ステップＳ４）。入力された更新対象リンク表示２３３がＡＳＰサーバ３に登録されていない場合（ステップＳ５でＮｏ）、エラー表示を行い（ステップＳ１０）、ステップＳ３において登録された更新対象リンク表示２３３を指定し直すか、新規登録処理を行うようにユーザに促す。また、入力された更新対象リンク表示２３３がＡＳＰサーバ３に登録されている場合（ステップＳ５でＹｅｓ）、該当更新対象リンク表示２３３のリンク先としてＡＳＰサーバ３に記憶されている更新情報ページ２１（図４）を呼び出す（ステップＳ６）。更新情報ページ２１は、図４に示すように、更新内容ページ２２への更新履歴リンク表示２３４ａ，２３４ｂ，２３４ｃ，…が列記されるページとなっている。
【００３７】
続いて、ＡＳＰサーバ３は、更新内容ページ作成手段として機能し、ユーザ端末１，１０から入力された更新内容に基づいて更新内容ページ２２を更新内容ごとに作成する（ステップＳ７）。図６は図１のＡＳＰシステムが適用されたウェブページの更新内容ページを示す図である。図６に示すように、更新内容ページ２２には、図５のお知らせタイトル入力欄３４で入力された表題２３４および更新内容本文入力欄３５で入力された本文２３５が掲載される。また、図５のテンプレート３０において、画像やファイル（表）等のその他の入力情報があれば、その内容またはリンク表示が掲載される。
【００３８】
本実施形態においては、添付ファイル情報入力欄３７で指定された営業日カレンダー２３７ｆへのリンク表示としてカレンダーリンク表示２３７が掲載される。図７は図６の更新内容ページからリンクされたカレンダー表示ページを示す図である。ここで、本実施形態において、ＡＳＰサーバ３には、予めカレンダー作成更新プログラムが記憶されており、当該カレンダー作成更新プログラムを用いて作成（カスタマイズ）されたカレンダーをＡＳＰサーバ３に記憶させる。そして、図５の入力画面のテンプレート３０における添付ファイル情報入力欄３７において当該記憶させたファイルを指定することにより、前記更新プログラムは、ＡＳＰサーバ３を、図６の内容更新ページ２２に表タイトルである営業日カレンダーをカレンダーリンク表示２３７として形成し、当該カレンダーリンク表示２３７のリンク先に図７の営業日カレンダー表示ページ２３を登録するカレンダー添付手段として機能させるように構成される。
【００３９】
この場合、ＡＳＰサーバ３には、更新プログラムとは別に、カレンダー作成のための補助的プログラムが記憶され、カレンダー作成プログラムで作成されたカレンダーもＡＳＰサーバ３に記憶される。そして、ユーザがカレンダー作成プログラムで作成したカレンダーを入力情報として入力（添付ファイル情報入力欄３７で営業日カレンダーファイルを指定）することにより、図７のカレンダー表示ページ２３を作成するとともに、図６の内容更新ページ２２に当該カレンダー表示ページ２３をリンク先とするカレンダーリンク表示２３７を形成する（内容更新ページ２２からカレンダー表示ページ２３へリンクする）。
【００４０】
このように、一瞥して把握し易い営業日カレンダー２３７ｆも極めて簡単に導入することができ、より分かり易いウェブページとして簡単かつ迅速に更新することができる。なお、内容更新ページ２２に当該カレンダーを直接表示することとしてもよい。また、カレンダー作成プログラム以外の補助的プログラム（表作成プログラム、図面作成プログラム等）をＡＳＰサーバ３に記憶しておき、当該補助的プログラムで作成したファイルを図５の入力画面から入力情報として入力することにより、本発明に係るウェブページの更新のためのＡＳＰシステムに組み込むことができ、より簡単かつ様々な態様の更新を行うことができる。
【００４１】
さらに、ＡＳＰサーバ３は、更新情報ページ更新手段として機能することにより、前記リンク表示検索手段において検索された更新対象リンク表示２３３のリンク先に設けられた更新情報ページ２１に前記更新内容ページ作成手段で作成された更新内容ページ２２をリンク先とする更新履歴リンク表示２３４ａが追加形成される（更新情報ページ２３３に更新内容ページ２２がリンクされる：ステップＳ８）。これにより、ウェブページにアクセスした際、図３のメインページ２０から図４の更新情報ページ２１を経由して図６の更新内容ページ２２を閲覧することができるようになる。なお、本実施形態の更新履歴リンク表示２３４ａ，２３４ｂ，２３４ｃ，…は、図５のお知らせタイトル入力欄３４に入力されたテキストをリンク表示として形成し、更新日の新しいものほど上に列記するように構成されるが、他の所定の入力情報（例えば、更新日等）を更新履歴リンク表示２３４として形成し、所定の法則で列記すればよく、予めＡＳＰサーバ３に記憶される更新プログラムにおいて、テンプレート化しておけばよい（複数のテンプレートから選択可能としてもよい）。
【００４２】
ユーザが更新したい内容が複数存在する場合（ステップＳ９でＮｏ）は、ステップＳ３に戻り、再び図５のテンプレート３０に入力する。そして、以下同様にステップＳ８までを同時に更新したい更新内容の数だけ繰り返す。この際、ステップＳ３においてテンプレート３０に従って入力した入力情報ごとに更新内容ページ２２が作成されることとなる。
【００４３】
なお、本実施形態において、前記入力情報には同時に複数の更新を行う場合の優先順位を含み、図５に示すように、入力画面のテンプレート３０に重要度チェックボックス４０が設けられ、前記更新プログラムは、前記ＡＳＰサーバ３を前記優先順位の高い更新内容を前記ウェブページに優先的に表示する優先表示手段として機能させるように構成される。
【００４４】
この場合、ユーザ端末１，１０から同時（同時期）に更新した際の優先順位としての重要度が重要度チェックボックス４０に入力情報として入力された（本実施形態においては、最重要、重要、および通常の３段階のいずれかが入力された）ときに、ＡＳＰサーバ３は優先表示手段として機能することによって、より優先順位の高い更新内容をウェブページに優先的に表示すべく更新する。より具体的には、図５の重要度チェックボックス４０のうち、重要度の高いもの（最重要を）優先的に表示すべく更新する。優先的な表示の態様としては、特に制限はないが、例えば、図４の更新情報ページ２１において、重要度の高い順に列記する（重要度の高い更新履歴リンク表示２３４ほど上に掲載する）こと、当該更新履歴リンク表示２３４の色や文字のサイズを変えて表示すること、更新履歴リンク表示２３４自体または周囲に装飾を施す（図４において更新履歴リンク表示２３４左右の星印を点滅させたり、更新履歴リンク表示２３４の脇に「重要！」等のテキスト（または画像）を貼り付けたりする等）こと等、種々適用可能である。
【００４５】
このように、ユーザ以外のウェブページの閲覧者に対して優先的に見て欲しい更新内容を優先的に表示させることによって、よりユーザの意図に沿ったウェブページの更新を行うことができる。
【００４６】
すべての更新内容についての入力および処理が終了した場合（ステップＳ９でＹｅｓ）は、更新プログラムは処理を終了し、ユーザは、ウェブサーバ２に記憶されるウェブページのメインページ２０に実際にアクセスし、当該メインページ２０から更新情報ページ２１を介して更新内容ページ２２が閲覧できることを確認する（ステップＳ９）。なお、図５の入力画面において、更新ボタン４１をクリック等する前に、プレビューボタン４２をクリック等することによってプレビュー表示させて、更新内容を確認しておくこともできる。
【００４７】
ここで、上記作成および更新された更新情報ページ２１および更新内容ページ２２は、ＡＳＰサーバ３の記憶装置にデータベースとして記憶されるため、ＡＳＰサーバ３からユーザのウェブページのメインページ２０が記憶されるウェブサーバ２にアップロードする必要はなく、即座に公開される。
【００４８】
以上のように、ウェブページ更新のためのＡＳＰサーバ３を介することにより、ウェブページ作成支援および更新接続に関するソフトウェアを更新の際に使用するユーザ端末１，１０にインストールすることなくウェブページの更新作業を行うことができる。しかも、更新箇所を更新対象リンク表示２３３にリンクした別ページとしているため、どのようなウェブページであっても既存のウェブページの形式を大きく変更することなく自由度の高い更新を行うことができる。さらに、ユーザは、更新対象リンク表示２３３を予め登録しておきさえすれば、更新内容を入力するだけで、リンクを形成する等の煩雑な作業を行うことなく簡単かつ迅速にウェブページの更新を行うことができる。
【００４９】
本実施形態のＡＳＰシステムにおいては、前記入力情報として前記更新内容ページ２２の公開期間情報を含んでおり、図５に示すように、入力画面のテンプレートに公開希望日入力欄３１が設けられ、前記ＡＳＰサーバ３には、前記公開期間情報が記憶され、当該公開期間情報に基づいて、前記更新内容ページ２２の公開期間を設定可能であるように構成される。
【００５０】
この場合、ユーザ端末１，１０からの入力情報として図５のテンプレートにおける公開希望入力欄３１に更新内容ページ２２の公開期間情報（公開開始時および／または公開終了時の情報）が入力される。本実施形態においては、図５に示すように公開終了時のみ入力している（すなわち、公開開始は、即時行われることとなる）。このとき、ＡＳＰサーバ３は、この公開期間情報を記憶し、当該記憶された公開期間に合わせてウェブページに公開終了のための更新を行う（公開開始時期の入力がある場合は、これと同様に、公開開始時に合わせて公開開始のための更新を行う）。
【００５１】
したがって、不要となる更新内容も予め公開期間を設定しておくことにより、ユーザの手を煩わすことなく自動的に削除されるため、ＡＳＰサーバ３に記憶されたウェブページの記憶容量を無駄に増やすことを防止することができるとともに、すっきりとした分かり易いウェブページとすることができる。
【００５２】
上述したように、本実施形態において、前記ユーザ端末は、図１に示す携帯電話１０を始めとする無線通信可能な携帯情報端末であってもよい。
【００５３】
この場合、携帯情報端末から無線通信を介してＡＳＰサーバ３へとアクセスし、入力情報を入力する。本発明のＡＰＳシステムによれば、携帯情報端末に容量の大きいウェブページ作成ソフトをインストールする必要がなく、入力情報として、更新対象リンク表示等、ごく部分的なデータのみ送信することにより、ウェブページの更新指示をＡＳＰサーバ３に対して行うことができる。
また、ユーザ端末１，１０は、ユーザの所有する情報端末に限られず、インターネットカフェ等の公共の情報端末等、ネットワーク１００に接続可能な情報端末であればよい。
【００５４】
したがって、ユーザが携帯情報端末を所持している限りどこからでも簡単かつ迅速にウェブページの更新を行うことができる。
【００５５】
ここで、本実施形態の応用例について説明する。図８は図１のＡＳＰシステムが適用されたウェブページのメインページの他の例を示す図である。本実施形態においては、前記ウェブページの所定位置に更新履歴枠２３１が設けられ、前記更新プログラムは、前記ＡＳＰサーバ３を、前記更新履歴枠２３１に前記更新内容ページ２２の表題２３４を掲載する更新履歴追加手段として機能させるように構成される。
【００５６】
この場合、ウェブページの所定位置として図８のメインページ２０ａのタイトル下方に更新履歴枠２３１が作成されている。そしてユーザ端末１，１０からの入力情報に基づいて、新たに更新内容ページ２２が作成されると、ＡＳＰサーバ３が更新履歴追加手段として機能することにより、更新履歴枠２３１に更新内容ページ２２の表題２３４が自動的に掲載されることとなる。なお、上記のように、ＡＳＰサーバ３を更新履歴追加手段として機能させるプログラム自体は、ＣＧＩ等により作成可能であることが公知となっており、これを組み込むことで実現できる。
【００５７】
したがって、更新時において更新履歴を追加する処理を別に行う必要がないため、更新履歴をより確実にウェブページの来訪者に伝えることができるとともに、このようなウェブページを当該ウェブページの管理者であるユーザの手を煩わせることなく作成することができる。
【図面の簡単な説明】
【００５８】
【図１】本発明の一実施形態に係るＡＳＰシステムの概念図である。
【図２】図１のＡＳＰシステムにおける動作フローを示す図である。
【図３】図１のＡＳＰシステムが適用されたウェブページのメインページを示す図である。
【図４】図１のＡＳＰシステムが適用されたウェブページの更新情報ページを示す図である。
【図５】図１のＡＳＰシステムに係る入力情報の入力画面を示す図である。
【図６】図１のＡＳＰシステムが適用されたウェブページの更新内容ページを示す図である。
【図７】図６の更新内容ページからリンクされたカレンダー表示ページを示す図である。
【図８】図１のＡＳＰシステムが適用されたウェブページのメインページの他の例を示す図である。
【符号の説明】
【００５９】
１，１０  ユーザ端末
２  ウェブサーバ
３  ＡＳＰサーバ
２０，２０ａ  メインページ
２１  更新情報ページ
２２  更新内容ページ
２３  カレンダー表示ページ
１００  ネットワーク
２３３  更新対象リンク表示
２３４，２３４ａ，２３４ｂ，２３４ｃ，…  更新履歴リンク表示
２３７  カレンダーリンク表示
【図１】
2005174236.tif 000003
【図２】
2005174236.tif 000004
【図３】
2005174236.tif 000005
【図４】
2005174236.tif 000006
【図５】
2005174236.tif 000007
【図６】
2005174236.tif 000008
【図７】
2005174236.tif 000009
【図８】
2005174236.tif 000010